(57)【要約】【課題】非肌対向面の摩擦抵抗が小さくされた使い捨て吸収性物品を提供する。【解決手段】尿パッド１は、横方向Ｘにおける寸法を二等分する仮想縦中心線２−２と、縦方向Ｙにおける寸法を二等分する仮想横中心線３−３と、縦方向Ｙにおける寸法を約三等分した中央における中間領域１４と、前方領域１５と、後方領域１６とを有する。尿パッド１は、肌対向面に位置する表面シート２０と、非肌対向面に位置する裏面シート３０と、これらシート２０，３０の間に位置する吸収体４０とを含む。尿パッド１の非肌対向面には、他の領域である裏面シート３０よりも摩擦抵抗が小さい低摩擦領域７０が形成される。低摩擦領域７０は、仮想横中心線３−３と後端縁１２との間、より好ましくは、後方領域１６に配置される。低摩擦領域７０は、基材シートと、基材シートに塗布されたシリコン樹脂とを有する。【選択図】図２
2013138692.tif 000002
【特許請求の範囲】
【請求項１】
縦方向および横方向を有し、肌対向面およびその反対側である非肌対向面と、前記縦方向における寸法を二等分する仮想横中心線および前記横方向における寸法を二等分する仮想縦中心線と、前記横方向へ延びる前後端縁と、前記肌対向面に位置する表面シートと、前記非肌対向面に位置する裏面シートと、前記表裏面シートの間に位置する吸収体とを含む使い捨て吸収性物品において、
前記非肌対向面には、他の領域よりも摩擦抵抗の小さい低摩擦領域が設けられ、前記低摩擦領域は、前記仮想横中心線と前記後端縁との間に位置することを特徴とする前記使い捨て吸収性物品。
【請求項２】
前記低摩擦領域は、少なくともシリコン樹脂およびフッ素樹脂の一方を含む請求項１記載の使い捨て吸収性物品。
【請求項３】
前記低摩擦領域は、前記吸収体と重なる請求項１または２記載の使い捨て吸収性物品。
【請求項４】
前記低摩擦領域は、前記縦方向へ延びるとともに、前記横方向へ不連続に並ぶ複数の帯部分によって構成される請求項１〜３のいずれかに記載の使い捨て吸収性物品。
【請求項５】
前記低摩擦領域は、基材シートと、前記基材シートに塗布されたシリコン樹脂とを有する請求項１〜４のいずれかに記載の使い捨て吸収性物品。
【請求項６】
前記吸収体は、吸液性の芯材と、前記仮想横中心線および前記後端縁間に位置するとともに他の領域よりも前記芯材の厚さ方向における寸法が小さい体圧緩衝領域を備え、前記低摩擦領域は、前記体圧緩衝領域に重なる請求項１〜５のいずれかに記載の使い捨て吸収性物品。
【請求項７】
使い捨て吸収性物品は、縦方向および横方向を有し、前記横方向へ延びる前後端縁と、肌対向面およびその反対側である非肌対向面と、前記肌対向面に位置する表面シートと、前記非肌対向面に位置する裏面シートとを含み、前記横方向へ延びる折曲線に沿って折り畳まれた前記使い捨て吸収性物品が、その厚さ方向に複数積層されて包装用袋に収容された使い捨て吸収性物品の包装体において、
前記使い捨て吸収性物品は、前記横方向へ延びるとともに前記縦方向へ離間される第１および第２折曲線と、前記後端縁と前記第１折曲線との間で画定された後方領域と、前記第１および第２折曲線の間で画定された中間領域と、前記第２折曲線と前記前端縁との間で画定された前方領域と、前記後方領域に位置するとともに前記非肌対向面に設けられ前記裏面シートよりも摩擦抵抗の小さい低摩擦領域とを有し、
前記後方領域と前記中間領域とが、前記肌対向面を互いに対向させて積層され、前記前方領域が、前記後方領域の前記非肌対向面に積層されるとともに、前記低摩擦領域を覆うことを特徴とする前記使い捨て吸収性物品の包装体。
【請求項８】
使い捨て吸収性物品は、縦方向および横方向を有し、前記横方向へ延びる前後端縁と、肌対向面およびその反対側である非肌対向面と、前記肌対向面に位置する表面シートと、前記非肌対向面に位置する裏面シートとを含み、前記横方向へ延びる折曲線に沿って折り畳まれた前記使い捨て吸収性物品が、その厚さ方向に複数積層されて包装用袋に収容された使い捨て吸収性物品の包装体において、
前記使い捨て吸収性物品は、前記横方向へ延びるとともに前記縦方向へ離間される第１および第２折曲線と、前記後端縁と前記第１折曲線との間で画定された後方領域と、前記第１および第２折曲線の間で画定された中間領域と、前記第２折曲線と前記前端縁との間で画定された前方領域と、前記後方領域に位置するとともに前記非肌対向面に設けられ前記裏面シートよりも摩擦抵抗の小さい低摩擦領域とを有し、
前記前方領域と前記中間領域とが、前記肌対向面を互いに対向させて積層され、前記後方領域が、前記前方領域の前記非肌対向面に積層されるとともに、前記低摩擦領域がその外側に露出されることを特徴とする前記使い捨て吸収性物品の包装体。
【発明の詳細な説明】
【技術分野】
【０００１】
この発明は、使い捨て吸収性物品およびその包装体に関し、より詳しくは、褥瘡予防の手段を有する使い捨て尿パッド、使い捨ておむつ、使い捨て失禁パンツ等の使い捨て吸収性物品およびその包装体に関する。
【背景技術】
【０００２】
従来、褥瘡予防の手段を有する吸収性物品は公知である。例えば、特許文献１には、表面シートおよび裏面シートと、これらシートの間に介在された吸収体とを有するおむつが開示され、吸収体は吸収コアが積層された積層構造を有し、これら吸収コアが層間で互いにせん断方向に移動可能とされている。吸収コアがせん断方向に移動可能とされることによって、おむつの肌対向面と、着用者の肌との間に強い摩擦抵抗が生じるのを防止する。例えば、寝たきりの着用者の上半身を起こすために、ベッドの一部を起立させ背もたれとして使用することがある。このようにベッドを起立させた際に、ベッドの背もたれに対して着用者がずり下がるように移動し、着用者の肌とおむつとの間に強い摩擦が生じるとともに、これら間にせん断力が生じる。着用者の肌とおむつとの間に生じるせん断力が、着用者の褥瘡発生の原因のひとつであるから、これを抑制することによって、褥瘡の発生を予防することができる。
【先行技術文献】
【特許文献】
【０００３】
【特許文献１】特開２００８−１８３１５９号公報（ＪＰ２００８−１８３１５９Ａ）
【発明の概要】
【発明が解決しようとする課題】
【０００４】
上記のような特許文献１において、着用者の肌と吸収性物品との関係について開示されているが、吸収性物品とその外側に位置する着衣等との関係については開示されていない。例えば、吸収性物品と着衣等の間の摩擦抵抗を小さくすることによって、吸収性物品と着衣とが相対的に移動し易くなり、その分、吸収性物品が着用者の肌に対してずれ難くなる。したがって、着用者の肌と吸収性物品との間のせん断力を小さくすることができ、褥瘡の予防ができるが、これについては開示されていない。なお、特許文献１は、吸収性物品に好適な包装体に関して何ら教示していない。
【０００５】
この発明では、非肌対向面の摩擦抵抗が小さくされた使い捨て吸収性物品およびその好適な包装体を提供することを課題とする。
【課題を解決するための手段】
【０００６】
第１の発明は、縦方向および横方向を有し、肌対向面およびその反対側である非肌対向面と、前記縦方向における寸法を二等分する仮想横中心線および前記横方向における寸法を二等分する仮想縦中心線と、前記横方向へ延びる前後端縁と、前記肌対向面に位置する表面シートと、前記非肌対向面に位置する裏面シートと、前記表裏面シートの間に位置する吸収体とを含む使い捨て吸収性物品の改良にかかわる。
【０００７】
第１の発明は、前記使い捨て吸収性物品において、前記非肌対向面には、他の領域よりも摩擦抵抗の小さい低摩擦領域が設けられ、前記低摩擦領域は、前記仮想横中心線と前記後端縁との間に位置することを特徴とする。
【０００８】
第２および第３の発明は、使い捨て吸収性物品が、縦方向および横方向を有し、前記横方向へ延びる前後端縁と、肌対向面およびその反対側である非肌対向面と、前記肌対向面に位置する表面シートと、前記非肌対向面に位置する裏面シートとを含み、前記横方向へ延びる折曲線に沿って折り畳まれた前記使い捨て吸収性物品が、その厚さ方向に複数積層されて包装用袋に収容された使い捨て吸収性物品の包装体の改良にかかわる。
【０００９】
第２の発明は、前記使い捨て吸収性物品の包装体において、前記使い捨て吸収性物品は、前記横方向へ延びるとともに前記縦方向へ離間される第１および第２折曲線と、前記後端縁と前記第１折曲線との間で画定された後方領域と、前記第１および第２折曲線の間で画定された中間領域と、前記第２折曲線と前記前端縁との間で画定された前方領域と、前記後方領域に位置するとともに前記非肌対向面に設けられ前記裏面シートよりも摩擦抵抗の小さい低摩擦領域とを有し、前記後方領域と前記中間領域とが、前記肌対向面を互いに対向させて積層され、前記前方領域が、前記後方領域の前記非肌対向面に積層されるとともに、前記低摩擦領域を覆うことを特徴とする。
【００１０】
第３の発明は、前記使い捨て吸収性物品の包装体において、前記使い捨て吸収性物品は、前記横方向へ延びるとともに前記縦方向へ離間される第１および第２折曲線と、前記後端縁と前記第１折曲線との間で画定された後方領域と、前記第１および第２折曲線の間で画定された中間領域と、前記第２折曲線と前記前端縁との間で画定された前方領域と、前記後方領域に位置するとともに前記非肌対向面に設けられ前記裏面シートよりも摩擦抵抗の小さい低摩擦領域とを有し、前記前方領域と前記中間領域とが、前記肌対向面を互いに対向させて積層され、前記後方領域が、前記前方領域の前記非肌対向面に積層されるとともに、前記低摩擦領域がその外側に露出されることを特徴とする。
【発明の効果】
【００１１】
第１の発明の特にそのひとつ以上の実施態様によれば、使い捨て吸収性物品の非肌対向面には、他の領域よりも摩擦抵抗の小さい低摩擦領域が形成され、この低摩擦領域が仮想横中心線よりも後端縁に位置するので、使い捨て吸収性物品とその外側の着衣等との間の滑りがよくなり、使い捨て吸収性物品と着用者の肌との間にせん断力が生じるのを防止することができる。したがって、使い捨て吸収性物品とのせん断力によって発生する着用者の褥瘡を予防することができる。
【００１２】
第２の発明の特にその１つ以上の実施態様によれば、使い捨て吸収性物品を折り畳んだ際に、低摩擦領域がその外側に露出されないようにすることができるので、使い捨て吸収性物品を複数積層させたときの取り扱いを容易にすることができる。
【００１３】
第３の発明の特にその１つ以上の実施態様によれば、使い捨て吸収性物品を折り畳んだ際に、低摩擦領域がその外側に露出されるので、これらを圧縮して包装用袋に入れた場合、使い捨て吸収性物品を包装用袋から１つずつ取り出しやすい。
【図面の簡単な説明】
【００１４】
【図１】使い捨て吸収性物品の一実施形態である使い捨て尿パッドの肌対向面から見た平面図。
【図２】尿パッドの非肌対向面から見た平面図。
【図３】図２のＩＩＩ−ＩＩＩ線断面拡大図。
【図４】尿パッドの分解斜視図。
【図５】他の実施形態の尿パッドの非肌対向面から見た平面図。
【図６】他の実施形態の尿パッドの非肌対向面から見た平面図。
【図７】尿パッドの折り畳みを説明する斜視図。
【図８】尿パッドの包装体の斜視図。
【図９】図８のＩＸ−ＩＸ線断面拡大図。
【発明を実施するための形態】
【００１５】
図１および２を参照すれば、尿パッド１は、縦方向Ｙおよび横方向Ｘを有し、横方向Ｘへ延びる前後端縁１１，１２と、縦方向Ｙへ延びる両側縁１３とを有する。尿パッド１は、横方向Ｘにおける寸法を二等分する仮想縦中心線２−２と、縦方向Ｙにおける寸法を二等分する仮想横中心線３−３とを有し、仮想縦中心線２−２においてほぼ対称にされる。尿パッド１は、縦方向Ｙにおける寸法を約三等分した中央における中間領域１４と、前方領域１５と、後方領域１６とを有する。
【００１６】
図３および図４を参照すれば、尿パッド１は、肌対向面に位置する透液性かつ親水性の表面シート２０と、その反対側である非肌対向面に位置する難透液性または不透液性の裏面シート３０と、これらシート２０，３０の間に位置する吸収体４０とを含む。吸収体４０と裏面シート３０との間には、漏れ防止シート６０が配置され、表面シート２０には、縦方向Ｙへ延びるとともに、横方向Ｘへ離間する一対の封じ込めシート５０が配置される。
【００１７】
表面シート２０としては、例えば、質量約１５〜３５ｇ／ｍ２、好ましくは約１８〜２３ｇ／ｍ２のスパンボンド繊維不織布またはポイントボンド繊維不織布を用いることができる。裏面シート３０としては、例えば、質量約１０〜３０ｇ／ｍ２のスパンボンド・メルトブローン・スパンボンド（以下ＳＭＳとする）繊維不織布、スパンボンド繊維不織布、または、これら繊維不織布の少なくともひとつとプラスチックフィルムとのラミネートを用いることができる。漏れ防止シート６０としては、通気性かつ不透液性のプラスチックフィルムを用いることができる。
【００１８】
封じ込めシート５０としては、例えば、質量約１０〜３０ｇ／ｍ２のＳＭＳ繊維不織布を用いることができる。封じ込めシート５０は、前端縁１１および後端縁１２間において縦方向Ｙへ延びるとともに、横方向Ｘへ延びる前後端縁５１，５２と、縦方向Ｙへ延びるとともに、表面シート２０に接合される近位側部５３と、表面シート２０から離間可能な遠位側部５４とを有する。遠位側部５４には、封じ込めシート５０によってスリーブが形成され、スリーブ内に縦方向Ｙへ延びる弾性体５５が伸長状態で収縮可能に取り付けられる。弾性体５５の収縮力によって遠位側部５４が表面シート２０から起立するように離間して、着用者の大腿部に密着し、排泄物の漏れを防止する。
【００１９】
吸収体４０は、吸液性の芯材４１と、芯材４１の吸収面および底面を覆うティッシュペーパ等の液拡散性の被覆シート４２，４３とによって形成される（図３参照）。芯材４１として木材フラッフパルプ、高吸収性ポリマー粒子、またはこれらの混合物等を用いることができる。
【００２０】
吸収体４０は、仮想横中心線３−３近傍において、その横方向Ｘにおける寸法が前後端縁１１，１２近傍におけるそれよりも小さくされる。この実施形態において、横方向Ｘにおける寸法が小さくされた領域は、仮想横中心線３−３よりも前方に偏倚していて、後方において前方よりも体液を多く吸収できるようにされている。したがって、仰向け姿勢で排尿された場合であっても、これを確実に吸収し、尿パッド１から漏れるのを予防することができる。
【００２１】
尿パッド１の非肌対向面には、他の領域である裏面シート３０よりも摩擦抵抗が小さい低摩擦領域７０が形成される。低摩擦領域７０は、仮想横中心線３−３と後端縁１２との間、より好ましくは、後方領域１６に配置される（図２参照）。低摩擦領域７０は、基材シートと、基材シートに塗布されたシリコン樹脂とを有する。基材シートとしては、ポリエチレンやポリプロピレン等の熱可塑性樹脂によって形成されたプラスチックフィルムを用いることができ、このフィルムに質量約０．６〜０．８ｇ／ｍ２のシリコン樹脂が塗布される。シリコン樹脂として、形態別では、溶剤系、無溶剤系、または、エマルジョン系のいずれも用いることができ、また、硬化様式の違いによる区分では、熱硬化型または紫外線硬化型のものを用いることができる。ただし、基材シートとして熱可塑性フィルムを用いた場合には、シリコン樹脂を硬化させるために加熱すると、基材シートが溶融する可能性があるので、紫外線硬化型のシリコン樹脂を用いることが好ましい。
【００２２】
この実施形態において、低摩擦領域７０における静摩擦係数は約０．３１であり、動摩擦係数は約０．２５であった。裏面シート３０における静摩擦係数は約０．６３であり、動摩擦係数は約０．４９であった。
【００２３】
＜摩擦係数の測定＞
摩擦係数として、静摩擦係数および動摩擦係数を測定した。静摩擦係数および動摩擦係数は、ＪＩＳ  Ｐ８１４７（ｂ）水平法によって測定した。水平板用の試験片として、ＪＩＳ  Ｌ０８０３で規定される摩擦用綿布「交織３号（かなきん３号）」を用い、おもり用試験片として、低摩擦領域７０に配置されたシリコン塗布シート、裏面シート３０をそれぞれ用いた。
【００２４】
低摩擦領域７０において他の領域よりも摩擦係数を小さくすることによって、尿パッド１は、その外側に位置する着衣等に対して滑りやすくなり、着衣に対して相対的に移動可能となる。ベッドの背もたれに対して着用者がずり下がるような場合であっても、尿パッド１が着衣に対して相対的に移動するので、尿パッド１は着用者の肌に対してずれ難く、着用者の肌との間におけるせん断力を小さくすることができ、着用者の褥瘡の発生を予防することができる。尿パッド１は、おむつと組み合わせてその内側に配置して用いることもできるし、下着などの着衣の内側に配置して用いることができる。
【００２５】
低摩擦領域７０が、裏面シート３０の全域に形成された場合には、資材量が増大してコスト高の要因になるが、その一部に形成することによって、コスト高になるのを抑えることができる。また、裏面シート３０の全域に低摩擦領域７０が形成されると、裏面シート３０の剛性が増加するばかりでなく、通気性も阻害され、尿パッド１内が蒸れることが懸念されるが、これを予防することもできる。さらに、裏面シート３０の全域に低摩擦領域７０が形成された場合には、その外側のおむつ全体が尿パッド１に対して滑りやすくなるから、特に排尿後には中間領域１４近傍が重くなり、おむつがずり落ちやすくなるが、これを予防することもできる。
【００２６】
上記のような尿パッド１は、例えば、寝たきりの高齢者等に好適に用いることができる。寝たきりの高齢者は、筋肉の衰え等によって、仙骨が突出し、突出した仙骨の近傍部分と尿パッド１とが他の部分よりも強く接触して、これらの間にせん断力が生じ褥瘡になりやすい。特に、ベッドの一部を背もたれとして使用するために起立させたり、車椅子に移ったりする場合に、仙骨の近傍部分と尿パッド１との間にせん断力が生じやすい。しかし、低摩擦領域７０を後方領域１６に配置することによって、これと仙骨の近傍部分とが重なり、仙骨の近傍部分と尿パッド１との間にせん断力が生じるのを効果的に防止することができる。
【００２７】
図５は、低摩擦領域７０の他の例を示したものである。低摩擦領域７０は、縦方向Ｙへ延びるとともに、横方向Ｘへ不連続に並ぶ複数の帯部分７１によって構成される。帯部分７１は、仮想縦中心線２−２に位置する中央部７２と、その両側であって隣接する帯部分７１に対して離間する複数の側部７３とを有する。中央部７２は、その横方向Ｘにおける寸法が、側部７３よりも大きくされる。具体的には、横方向Ｘにおいて、中央部７２の寸法は約１２０ｍｍ、側部７３の寸法はそれぞれ約２５ｍｍとすることができ、これら中央部７２と側部７３との離間寸法、および、一対の側部７３の離間寸法は、それぞれ約１０ｍｍとすることができる。このように、横方向Ｘへ不連続に並ぶ複数の帯部分７１を設けることによって、これらを連続して設けた場合に比べて、資材を低減しコストダウンを図ることができる。また、帯部分７１の離間部分では、尿パッド１の通気性を確保することも可能である。
【００２８】
上記実施形態では、低摩擦領域７０として、基材シートにシリコン樹脂を塗布したものを用いたが、低摩擦領域７０に対応する位置において、裏面シート３０に直接シリコン樹脂を塗布することもできる。裏面シート３０として繊維不織布を用いた場合には、シリコン樹脂の質量は、約１．０〜１．５ｇ／ｍ２とすることができる。塗工方法としては、スプレー方式、ロール方式、ディップ方式等のいずれも用いることができるが、非肌対向面にのみ塗布することを考えると、スプレー方式またはロール方式を採用するのが望ましい。また、シリコン樹脂に替えてフッ素樹脂を用いることもできる。
【００２９】
低摩擦領域７０の基材シートは、ホットメルト接着材等の公知の接着手段によって裏面シート３０に接着される。接着手段は、縦方向Ｙおよび横方向Ｘにおいて連続的に塗布することもできるし、不連続に塗布することもできる。接着手段を不連続に塗布することによって、通気性を確保し、尿パッド１内の蒸れを予防することができる。また、裏面シート３０と漏れ防止シート６０とを、図示しないホットメルト接着材等の公知の接着手段によって互いに接着することができるが、この接着手段もまた、連続的または不連続的に塗布することができる。例えば、低摩擦領域７０の基材シートと裏面シート３０とが連続的に塗布された接着手段によって接着されている場合には、少なくともこれに対応する領域において裏面シート３０と漏れ防止シート６０とを不連続に塗布された接着手段によって接着することができる。このようにいずれかの接着手段の不連続にすることによって、通気性を確保することができる。
【００３０】
図６は、尿パッド１の他の実施形態を示したものである。この実施形態では、吸収体４０の一部を切り欠き、体圧緩衝領域４４を形成したことを特徴とする。この実施形態では、体圧緩衝領域４４は、後方領域１６に位置する吸収体４０の芯材４１が存在しない領域を設けることによって形成される。体圧緩衝領域４４は、仮想縦中心線２−２上に位置するとともに、その横方向Ｘ両側には、芯材４１が存在する。低摩擦領域７０は、体圧緩衝領域４４に重なるとともに、その横方向Ｘ両側に延出して配置される。体圧緩衝領域４４は、他の領域よりも芯材４１の厚さ方向における寸法が小さければよく、芯材４１が実質的に非存在となるように、その一部を切り欠く場合のほかに、その質量を他の領域よりも小さくする場合も考えられる。
【００３１】
上記のような尿パッド１を高齢者が着用した場合には、仙骨部分が体圧緩衝領域４４に位置するようにすることができる。このように着用することによって、着用者の仙骨部分が尿パッド１に強く接触するのを防止することができ、より一層、仙骨部分における褥瘡を予防することができる。なお、低摩擦領域７０は、体圧緩衝領域４４にのみ対応するように形成することもできるし、その横方向Ｘおよび縦方向Ｙへ延出するように形成することもできる。
【００３２】
低摩擦領域７０は、横方向Ｘへ不連続に並ぶ複数の帯部分７１によって構成することもできる。この場合には、例えば、中央部７２が体圧緩衝領域４４に重なり、側部７３が体圧緩衝領域４４の両側に位置する芯材４１に重なるようにすることもできる。
【００３３】
図７〜９は、上記のような尿パッド１を包装するときの態様について示す。図７を参照すれば、尿パッド１は、横方向Ｘに延びるとともに縦方向Ｙに離間された第１および第２折曲線１７，１８を有する。第１および第２折曲線１７，１８は、尿パッド１の縦方向Ｙにおける寸法をほぼ三等分する線に一致するとともに、第１折曲線１７は後端縁１２側に位置し、第２折曲線１８は前端縁１１側に位置する。尿パッド１は、中間領域１４と後方領域１６とが、表面シート２０を互いに対向させて第１折曲線１７に沿って折り曲げられ、さらに、後方領域１６の裏面シート３０を覆うように前方領域１５が第２折曲線１８に沿って折り曲げられる。このように折り曲げられることによって、前方領域１５が外側に露出し、後方領域１６がその内側になるように三つ折にされる。したがって、後方領域１６に配置された低摩擦領域７０は、三つ折にされた前方領域１５の内側に位置し、外側に露出されることがない。
【００３４】
図８および９を参照すれば、上記のように三つ折にされた尿パッド１は、その厚さ方向に複数積層されて包装体５が形成される。尿パッド１は、その一定枚数が積層されると、包装装置における一対のアーム（図示せず）によって挟持・圧縮されて包装用袋４の中に収納される。尿パッド１は、低摩擦領域７０が三つ折にされた外側に露出されることがないので、アームによって挟持・圧縮された場合であっても、これら積層状態が維持されて、包装用袋に収容することができる。仮に、低摩擦領域７０が外側に露出されるように折り畳まれた場合には、互いに積層された尿パッド１が低摩擦領域７０によって滑ってしまうから、アームによって挟持した時に積層状態が崩れて包装用袋４に収容することができない可能性がある。
【００３５】
ただし、包装用袋４に尿パッド１を一枚ずつ投入し、袋内でそれらが積層されるような場合には、尿パッド１の低摩擦領域７０がその外側に露出されるように折り畳むようにしてもよい。このように低摩擦領域７０が外側に露出された場合には、包装用袋４から尿パッド１を容易に取り出すことができる。尿パッド１が圧縮されて包装用袋４に収容された場合には、尿パッド１が取り出しにくく、１つの尿パッドを引っ張ると隣接する他の尿パッドも引きずり出てしまうことがあるが、低摩擦領域７０を介して隣接されることによって、尿パッド１を１つずつ容易に取り出すことができる。
【００３６】
以上に記載したこの発明に関する開示は、少なくとも下記事項に要約することができる。
第１の発明は、以下の使い捨て吸収性物品１の改良にかかわる。使い捨て吸収性物品１は、縦方向Ｙおよび横方向Ｘを有し、肌対向面およびその反対側である非肌対向面と、前記縦方向Ｙにおける寸法を二等分する仮想横中心線３−３および前記横方向Ｘにおける寸法を二等分する仮想縦中心線２−２と、前記横方向Ｘへ延びる前後端縁１１，１２と、前記肌対向面に位置する表面シート２０と、前記非肌対向面に位置する裏面シート３０と、前記表裏面シート２０，３０の間に位置する吸収体４０とを含む。
【００３７】
この第１の発明は、上記使い捨て吸収性物品１において、以下の点を特徴とする。
前記非肌対向面には、他の領域よりも摩擦抵抗の小さい低摩擦領域７０が設けられ、前記低摩擦領域７０は、前記仮想横中心線３−３と前記後端縁１２との間に位置する。
【００３８】
上記の発明は、少なくとも下記の実施の形態を含むことができる。
（１）前記低摩擦領域７０は、少なくともシリコン樹脂およびフッ素樹脂の一方を含む。
（２）前記低摩擦領域７０は、前記吸収体４０と重なる。
（３）前記低摩擦領域７０は、前記縦方向Ｙへ延びるとともに、前記横方向Ｘへ不連続に並ぶ複数の帯部分７１によって構成される。
（４）前記低摩擦領域７０は、基材シートと、前記基材シートに塗布されたシリコン樹脂とを有する。
（５）前記吸収体４０は、吸液性の芯材４１と、前記仮想横中心線３−３および前記後端縁１２間に位置するとともに他の領域よりも前記芯材４１の厚さ方向における寸法が小さい体圧緩衝領域４４を備え、前記低摩擦領域７０は、前記体圧緩衝領域４４に重なる。
【００３９】
第２および第３の発明は、以下の使い捨て吸収性物品１の包装体５の改良にかかわる。使い捨て吸収性物品１は、縦方向Ｙおよび横方向Ｘを有し、前記横方向Ｘへ延びる前後端縁１１，１２と、肌対向面およびその反対側である非肌対向面と、前記肌対向面に位置する表面シート２０と、前記非肌対向面に位置する裏面シート３０とを含み、前記横方向Ｘへ延びる折曲線に沿って折り畳まれた前記使い捨て吸収性物品１が、その厚さ方向に複数積層されて包装用袋４に収容される。
【００４０】
第２の発明は、上記使い捨て吸収性物品１の包装体５において、以下の点を特徴とする。前記使い捨て吸収性物品１は、前記横方向Ｘへ延びるとともに前記縦方向Ｙへ離間される第１および第２折曲線１７，１８と、前記後端縁１２と前記第１折曲線１７との間で画定された後方領域１６と、前記第１および第２折曲線１７，１８の間で画定された中間領域１４と、前記第２折曲線１８と前記前端縁１１との間で画定された前方領域１５と、前記後方領域１６に位置するとともに前記非肌対向面に設けられ前記裏面シート３０よりも摩擦抵抗の小さい低摩擦領域７０とを有する。
前記後方領域１６と前記中間領域１４とが、前記肌対向面を互いに対向させて積層され、前記前方領域１５が、前記後方領域１６の前記非肌対向面に積層されるとともに、前記低摩擦領域７０を覆う。
【００４１】
第３の発明は、上記使い捨て吸収性物品１の包装体５において、以下の点を特徴とする。前記使い捨て吸収性物品１は、前記横方向Ｘへ延びるとともに前記縦方向Ｙへ離間される第１および第２折曲線１７，１８と、前記後端縁１２と前記第１折曲線１７との間で画定された後方領域１６と、前記第１および第２折曲線１７，１８の間で画定された中間領域１４と、前記第２折曲線１８と前記前端縁１１との間で画定された前方領域１５と、前記後方領域１６に位置するとともに前記非肌対向面に設けられ前記裏面シート３０よりも摩擦抵抗の小さい低摩擦領域７０とを有する。
前記前方領域１５と前記中間領域１４とが、前記肌対向面を互いに対向させて積層され、前記後方領域１６が、前記前方領域１５の前記非肌対向面に積層されるとともに、前記低摩擦領域７０がその外側に露出される。
【００４２】
使い捨て吸収性物品の一例である使い捨て尿パッド１を構成する各構成部材には、この明細書に記載されている材料のほかに、この種の分野において通常用いられる、各種の公知の材料を制限なく用いることができる。また、この発明の明細書において、用語「第１」および「第２」は、同様の要素、位置等を単に区別するために用いられていて、各構成部材の配列順位、重要度等を示すものではない。
【符号の説明】
【００４３】
１    尿パッド（使い捨て吸収性物品）
２−２    仮想縦中心線
３−３    仮想横中心線
４    包装用袋
５    包装体
１１    前端縁
１２    後端縁
１４    中間領域
１５    前方領域
１６    後方領域
１７    第１折曲線
１８    第２折曲線
２０    表面シート
３０    裏面シート
４０    吸収体
４１    芯材
４４    体圧緩衝領域
７０    低摩擦領域
７１    帯部分
【図１】
2013138692.tif 000003
【図２】
2013138692.tif 000004
【図３】
2013138692.tif 000005
【図４】
2013138692.tif 000006
【図５】
2013138692.tif 000007
【図６】
2013138692.tif 000008
【図７】
2013138692.tif 000009
【図８】
2013138692.tif 000010
【図９】
2013138692.tif 000011